【手続補正書】
【提出日】平成22年5月7日(2010.5.7)
【手続補正１】
【補正対象書類名】特許請求の範囲
【補正対象項目名】全文
【補正方法】変更
【補正の内容】
【特許請求の範囲】
【請求項１】
第１の装置と第２の装置とを接続して構成された画像表示システムであって、
前記第１の装置は、
第１の画像を表示する第１のディスプレイと、
前記第１のディスプレイの表示状態を操作する操作手段とを備え、
前記第２の装置は、
前記操作手段による操作に応じて、前記第１の画像に対応する第２の画像を表示する第２のディスプレイと、
前記第２のディスプレイの解像度が前記第１のディスプレイの解像度よりも高い場合、前記第１の画像よりも大きな拡大率又は縮小率で前記第２の画像を前記第２のディスプレイに表示する表示制御手段とを備えることを特徴とする画像表示システム。
【請求項２】
第１のディスプレイを備える外部装置と通信し、かつ前記第１のディスプレイとは異なる第２のディスプレイへの出力が可能な情報処理装置であって、
前記外部装置が操作されたことを示す操作情報を受信する受信手段と、
前記操作情報に応じて、前記第１のディスプレイに表示される第１の画像に対応する第２の画像を前記第２のディスプレイに表示するよう制御する表示制御手段とを備え、
前記第２のディスプレイの解像度が、前記第１のディスプレイの解像度よりも高い場合、前記表示制御手段は、前記第１の画像よりも大きな拡大率又は縮小率で前記第２の画像を前記第２のディスプレイに表示するよう制御することを特徴とする情報処理装置。
【請求項３】
前記表示制御手段は、前記第１のディスプレイにおいて表示可能な拡大率よりも大きな拡大率で前記第２の画像を表示するよう制御することが可能であることを特徴とする請求項２に記載の情報処理装置。
【請求項４】
前記表示制御手段は、前記第１のディスプレイにおいて表示可能な縮小率よりも大きな縮小率で前記第２の画像を表示するよう制御することが可能であることを特徴とする請求項２または３に記載の情報処理装置。
【請求項５】
第１のディスプレイを備える外部装置と通信し、かつ前記第１のディスプレイとは異なる第２のディスプレイへの出力が可能な情報処理装置であって、
前記外部装置が操作されたことを示す操作情報を受信する受信手段と、
前記操作情報に応じて、前記第１のディスプレイに表示される画像に対応する画像を前記第２のディスプレイに表示するよう制御する表示制御手段とを備え、
前記第２のディスプレイの解像度が、前記第１のディスプレイの解像度よりも高い場合、前記表示制御手段は、前記第１のディスプレイに表示される画像の数よりも多い数の画像を前記第２のディスプレイに表示するよう制御することを特徴とする情報処理装置。
【請求項６】
前記表示制御手段は、前記第１のディスプレイが表示可能な画像の数よりも多い数の画像を前記第２のディスプレイに表示するよう制御することが可能であることを特徴とする請求項５に記載の情報処理装置。
【請求項７】
前記第１のディスプレイに表示される画像の数が前記第２のディスプレイに表示される画像の数よりも少ない数である場合、前記表示制御手段は、前記第２のディスプレイに表示される画像のうち、前記第１のディスプレイに表示される画像に対応する画像とその他の画像とを区別可能に表示するよう制御することを特徴とする請求項５または６に記載の情報処理装置。
【請求項８】
第１のディスプレイを備える外部装置と通信し、かつ前記第１のディスプレイとは異なる第２のディスプレイへの出力が可能な情報処理装置であって、
前記外部装置が操作されたことを示す操作情報を受信する受信手段と、
前記操作情報に応じて、前記第１のディスプレイに表示される第１の画像に対応する第２の画像を前記第２のディスプレイに表示するよう制御する表示制御手段とを備え、
前記第２のディスプレイの解像度が、前記第１のディスプレイの解像度よりも高い場合、前記表示制御手段は、前記第１の画像よりも大きな拡大率で前記第２の画像を前記第２のディスプレイに表示するよう制御することを特徴とする情報処理装置。
【請求項９】
前記表示制御手段は、前記第１のディスプレイにおいて表示可能な拡大率よりも大きな拡大率で前記第２の画像を表示するよう制御することが可能であることを特徴とする請求項８に記載の情報処理装置。
【請求項１０】
第１のディスプレイを備える外部装置と通信し、かつ前記第１のディスプレイとは異なる第２のディスプレイへの出力が可能な情報処理装置の制御方法であって、
受信手段が、前記外部装置が操作されたことを示す操作情報を受信する受信工程と、
表示制御手段が、前記操作情報に応じて、前記第１のディスプレイに表示される第１の画像に対応する第２の画像を前記第２のディスプレイに表示する表示工程とを備え、
前記第２のディスプレイの解像度が、前記第１のディスプレイの解像度よりも高い場合、前記表示工程で、前記第１の画像よりも大きな拡大率又は縮小率で前記第２の画像を前記第２のディスプレイに表示することを特徴とする情報処理装置の制御方法。
【請求項１１】
請求項１０に記載の制御方法をコンピュータに実行させるためのコンピュータが読取可能なプログラム。
【手続補正２】
【補正対象書類名】明細書
【補正対象項目名】０００９
【補正方法】変更
【補正の内容】
【０００９】
上述した課題を解決するために、本発明に係る画像表示システムは、第１の装置と第２の装置とを接続して構成された画像表示システムであって、前記第１の装置は、第１の画像を表示する第１のディスプレイと、前記第１のディスプレイの表示状態を操作する操作手段とを備え、前記第２の装置は、前記操作手段による操作に応じて、前記第１の画像に対応する第２の画像を表示する第２のディスプレイと、前記第２のディスプレイの解像度が前記第１のディスプレイの解像度よりも高い場合、前記第１の画像よりも大きな拡大率又は縮小率で前記第２の画像を前記第２のディスプレイに表示する表示制御手段とを備えることを特徴とする。
【手続補正３】
【補正対象書類名】明細書
【補正対象項目名】００１０
【補正方法】変更
【補正の内容】
【００１０】
また、本発明に係わる情報処理装置は、第１のディスプレイを備える外部装置と通信し、かつ前記第１のディスプレイとは異なる第２のディスプレイへの出力が可能な情報処理装置であって、前記外部装置が操作されたことを示す操作情報を受信する受信手段と、前記操作情報に応じて、前記第１のディスプレイに表示される第１の画像に対応する第２の画像を前記第２のディスプレイに表示するよう制御する表示制御手段とを備え、前記第２のディスプレイの解像度が、前記第１のディスプレイの解像度よりも高い場合、前記表示制御手段は、前記第１の画像よりも大きな拡大率又は縮小率で前記第２の画像を前記第２のディスプレイに表示するよう制御することを特徴とする。
【手続補正４】
【補正対象書類名】明細書
【補正対象項目名】００１１
【補正方法】変更
【補正の内容】
【００１１】
また、本発明に係わる情報処理装置の制御方法は、第１のディスプレイを備える外部装置と通信し、かつ前記第１のディスプレイとは異なる第２のディスプレイへの出力が可能な情報処理装置の制御方法であって、受信手段が、前記外部装置が操作されたことを示す操作情報を受信する受信工程と、表示制御手段が、前記操作情報に応じて、前記第１のディスプレイに表示される第１の画像に対応する第２の画像を前記第２のディスプレイに表示する表示工程とを備え、前記第２のディスプレイの解像度が、前記第１のディスプレイの解像度よりも高い場合、前記表示工程で、前記第１の画像よりも大きな拡大率又は縮小率で前記第２の画像を前記第２のディスプレイに表示することを特徴とする。